(57)【要約】【課題】  ベースバンド信号処理機能部におけるリソース再配置時に、無線基地局装置の通話品質を維持する。【解決手段】  呼処理監視制御機能部がベースバンド信号処理機能部に対して再配置タイミングの指示を行う際には、例えばＳＦＮを指定してリソースの再配置を実現しているが、指定されたＳＦＮタイミング前にＳＦＮタイミングを意識しない無線送受信機能部に対して再配置先のベースバンド信号処理機能部の識別情報を通知することにより、再配置先のベースバンド信号処理機能部に対しても無線送受信機能部が送信出力レベル報告を通知する。【選択図】  図５
2006270384.tif 000002
【特許請求の範囲】
【請求項１】
ベースバンド信号処理機能部と、このベースバンド信号処理機能部により処理されたベースバンド信号に基づき無線信号の送受信を行う無線送受信機能部と、この無線送受信機能部および前記ベースバンド信号処理機能部を介して行われる呼処理を制御すると共に、前記ベースバンド信号処理機能部の動作状態を監視して前記ベースバンド信号処理機能部の故障時には当該ベースバンド信号処理機能部に対して配置されていた前記無線送受信機能部を正常な他のベースバンド信号処理機能部に再配置する呼処理監視制御機能部とを備えた無線基地局装置において、
前記呼処理監視制御機能部は、前記再配置に先立って、当該再配置の対象となる前記無線送受信機能部に対し、再配置先となる前記ベースバンド信号処理機能部の識別情報を通知する再配置先事前通知手段を備え、
前記無線送受信機能部は、前記再配置先事前通知手段からの通知を受け取ると再配置元となる前記ベースバンド信号処理機能部に対して行っていた送信出力レベル報告を再配置先となる前記ベースバンド信号処理機能部に対しても並行して行う報告制御手段を備えた
ことを特徴とする無線基地局装置。
【請求項２】
前記再配置はＳＦＮ(System Frame Number)に同期して行われ、
前記報告制御手段は、前記再配置が行われるＳＦＮタイミング以前に再配置先の前記ベースバンド信号処理機能部に対して送信出力レベル報告を開始する手段を備えた
請求項１記載の無線基地局装置。
【請求項３】
前記報告制御手段は、
送信出力レベル報告の通知先となる１または複数の前記ベースバンド信号処理機能部の識別情報が登録されるテーブルと、
このテーブルに登録された前記識別情報に基づき送信出力レベル報告を１または複数の前記ベースバンド信号処理機能部に対して通知する手段と、
前記再配置先事前通信手段により通知される再配置先の情報に基づき当該再配置先となる前記ベースバンド信号処理機能部の識別情報を前記テーブルに新規登録する手段と
を備えた請求項１記載の無線基地局装置。
【請求項４】
前記報告制御手段は、再配置の完了に伴い前記テーブルに登録されていた再配置元の前記ベースバンド信号処理機能部の識別情報を削除する手段を備えた請求項３記載の無線基地局装置。
【請求項５】
ベースバンド信号処理機能部と、このベースバンド信号処理機能部により処理されたベースバンド信号に基づき無線信号の送受信を行う無線送受信機能部と、この無線送受信機能部および前記ベースバンド信号処理機能部を介して行われる呼処理を制御すると共に、前記ベースバンド信号処理機能部の動作状態を監視して前記ベースバンド信号処理機能部の故障時には当該ベースバンド信号処理機能部に対して配置されていた前記無線送受信機能部を正常な他のベースバンド信号処理機能部に再配置する呼処理監視制御機能部とを備えた無線基地局装置に適用される無線送受信機能部の再配置方法において、
前記呼処理監視制御機能部は、前記再配置に先立って、当該再配置の対象となる前記無線送受信機能部に対し、再配置先となる前記ベースバンド信号処理機能部の識別情報を通知し、
前記無線送受信機能部は、この通知を受け取ると再配置元となる前記ベースバンド信号処理機能部に対して行っていた送信出力レベル報告を再配置先となる前記ベースバンド信号処理機能部に対しても並行して行う
ことを特徴とする再配置方法。
【請求項６】
前記再配置はＳＦＮに同期して行われ、
前記無線送受信機能部は、前記再配置が行われるＳＦＮタイミング以前に再配置先の前記ベースバンド信号処理機能部に対して送信出力レベル報告を開始する
請求項５記載の再配置方法。
【請求項７】
前記無線送受信機能部は、テーブルに予め登録されている送信出力レベル報告の通知先となる１または複数の前記ベースバンド信号処理機能部の識別情報に基づき送信出力レベル報告を１または複数の前記ベースバンド信号処理機能部に対して通知し、
再配置先の前記ベースバンド信号処理機能部の識別情報が通知されたときには、この識別情報を前記テーブルに新規登録する
請求項５記載の再配置方法。
【請求項８】
前記無線送受信機能部は、再配置の完了に伴い前記テーブルに登録されていた再配置元の前記ベースバンド信号処理機能部の識別情報を削除する請求項７記載の再配置方法。
【請求項９】
ベースバンド信号処理機能部と、このベースバンド信号処理機能部により処理されたベースバンド信号に基づき無線信号の送受信を行う無線送受信機能部と、この無線送受信機能部および前記ベースバンド信号処理機能部を介して行われる呼処理を制御すると共に、前記ベースバンド信号処理機能部の動作状態を監視して前記ベースバンド信号処理機能部の故障時には当該ベースバンド信号処理機能部に対して配置されていた前記無線送受信機能部を正常な他のベースバンド信号処理機能部に再配置する呼処理監視制御機能部とを備えた無線基地局装置に適用されるプログラムにおいて、
情報処理装置にインストールすることにより、その情報処理装置に、
前記呼処理監視制御機能部に相応する機能として、前記再配置に先立って、当該再配置の対象となる前記無線送受信機能部に対し、再配置先となる前記ベースバンド信号処理機能部の識別情報を通知する再配置先事前通知機能を実現させ、
前記無線送受信機能部に相応する機能として、前記再配置先事前通知機能からの通知を受け取ると再配置元となる前記ベースバンド信号処理機能部に対して行っていた送信出力レベル報告を再配置先となる前記ベースバンド信号処理機能部に対しても並行して行う報告制御機能を実現させる
ことを特徴とするプログラム。
【請求項１０】
前記再配置はＳＦＮに同期して行われ、
前記報告制御機能として、前記再配置が行われるＳＦＮタイミング以前に再配置先の前記ベースバンド信号処理機能部に対して送信出力レベル報告を開始する機能を実現させる
請求項９記載のプログラム。
【請求項１１】
前記報告制御機能として、
送信出力レベル報告の通知先となる１または複数の前記ベースバンド信号処理機能部の識別情報が登録されるテーブルに相応する機能と、
このテーブルに登録された前記識別情報に基づき送信出力レベル報告を１または複数の前記ベースバンド信号処理機能部に対して通知する機能と、
前記再配置先事前通信機能により通知される再配置先の情報に基づき当該再配置先となる前記ベースバンド信号処理機能部の識別情報を前記テーブルに新規登録する機能と
を実現させる請求項９記載のプログラム。
【請求項１２】
前記報告制御機能として、再配置の完了に伴い前記テーブルに登録されていた再配置元の前記ベースバンド信号処理機能部の識別情報を削除する機能を実現させる請求項１１記載のプログラム。
【発明の詳細な説明】
【技術分野】
【０００１】
本発明は、無線基地局装置の障害復旧に利用する。特に、障害復旧に伴う通信品質の低下を回避する技術に関する。
【背景技術】
【０００２】
無線基地局装置は、ベースバンド信号処理機能部と、このベースバンド信号処理機能部により処理されたベースバンド信号に基づき無線信号の送受信を行う無線送受信機能部と、この無線送受信機能部および前記ベースバンド信号処理機能部を介して行われる呼処理を制御すると共に、前記ベースバンド信号処理機能部の動作状態を監視して前記ベースバンド信号処理機能部の故障時には当該ベースバンド信号処理機能部に対して配置されていた前記無線送受信機能部を正常な他のベースバンド信号処理機能部に再配置する呼処理監視制御機能部とを備える。
【０００３】
このような構成を有する従来の無線基地局装置は次のように動作する。無線基地局装置は、安定して通信品質を確保するため、ベースバンド信号処理機能部において送信電力や無線チャネル状態などの各種測定を行っている。並びに、通信チャネルに必要なベースバンドリソースを効率的に確保するため、かつ保守性重視（故障発生時の切替）のため、リソースの予備のベースバンド信号処理機能部への再配置機能を備えている（例えば、特許文献１、２、３参照）。
【０００４】
ベースバンド信号処理機能部が電力測定を行うためには、無線送受信機能部は一定周期毎に送信出力レベル報告をベースバンド信号処理機能部に対して通知しなければならない。その情報を元に、ベースバンド信号処理機能部において電力計測が行われ、無線送受信機能部の送信出力レベルを制御することが可能となる。
【０００５】
【特許文献１】特開２００３−２７３７９５号公報
【特許文献２】特開２００４−６４３９５号公報
【特許文献３】特開２００４−８０６９８号公報
【発明の開示】
【発明が解決しようとする課題】
【０００６】
無線基地局装置内にはお互いの機能部でタイミングの同期を計るための時計としてＢＦＮ(Node
B Frame Number)と、ＢＦＮより算出することから求められるＳＦＮ(System Frame Number)の２種類がある。呼処理監視制御機能部はＢＦＮよりＳＦＮを算出しベースバンド信号処理機能部などと同期している。
【０００７】
呼処理監視制御機能部がベースバンド信号処理機能部に対して再配置タイミングの指示を行う際にはＳＦＮを指定してリソースの再配置を実現しているが、無線送受信機能部はＳＦＮを意識しておらず他機能部と再配置タイミングを計ることが不可能である。
【０００８】
そのため、呼処理監視制御機能部がＳＦＮタイミングを計り無線送受信機能部に対してリソースの再配置が行われたことを通知する。その通知後に無線送受信機能部は再配置先のベースバンド信号処理機能部に対して送信電力レベル報告を開始するため、再配置動作直後に再配置先のベースバンド信号処理機能部では、ある区間、送信出力レベル報告が通知されないため、電力計測ができないということになる。
【０００９】
よって、ベースバンド信号処理機能部によって無線送受信機能部の送信電力制御が行われないため、再配置が行われた場合には、ある区間において無線基地局装置システムの通話品質が維持できないという課題がある。
【００１０】
本発明は、このような背景の下に行われたものであって、ベースバンド信号処理機能部におけるリソース再配置時に、無線送受信機能部が再配置タイミングを意識することなくベースバンド信号処理機能部の行っている電力制御の連続性を維持することにより無線基地局装置の通話品質を維持することができる無線基地局装置および再配置方法を提供することを目的とする。
【課題を解決するための手段】
【００１１】
呼処理監視制御機能部がベースバンド信号処理機能部に対して再配置タイミングの指示を行う際には、例えばＳＦＮを指定してリソースの再配置を実現しているが、指定されたＳＦＮタイミング前にＳＦＮタイミングを意識しない無線送受信機能部に対して再配置先のベースバンド信号処理機能部の識別情報を通知することにより、再配置先のベースバンド信号処理機能部に対しても無線送受信機能部が送信出力レベル報告を通知することが可能となる。
【００１２】
このようにして、再配置先のベースバンド信号処理機能部はＳＦＮタイミング以前より電力計測が可能となり、再配置直後にベースバンド信号処理機能部は無線送受信機能部に対して再配置タイミングを意識しない電力制御が可能となるため、再配置動作前後での電力制御の連続性が維持できることになる。これにより、無線基地局装置の通話品質の維持が実現可能となる。
【００１３】
すなわち、本発明の第一の観点は、ベースバンド信号処理機能部と、このベースバンド信号処理機能部により処理されたベースバンド信号に基づき無線信号の送受信を行う無線送受信機能部と、この無線送受信機能部および前記ベースバンド信号処理機能部を介して行われる呼処理を制御すると共に、前記ベースバンド信号処理機能部の動作状態を監視して前記ベースバンド信号処理機能部の故障時には当該ベースバンド信号処理機能部に対して配置されていた前記無線送受信機能部を正常な他のベースバンド信号処理機能部に再配置する呼処理監視制御機能部とを備えた無線基地局装置である。
【００１４】
ここで、本発明の特徴とするところは、前記呼処理監視制御機能部は、前記再配置に先立って、当該再配置の対象となる前記無線送受信機能部に対し、再配置先となる前記ベースバンド信号処理機能部の識別情報を通知する再配置先事前通知手段を備え、前記無線送受信機能部は、前記再配置先事前通知手段からの通知を受け取ると再配置元となる前記ベースバンド信号処理機能部に対して行っていた送信出力レベル報告を再配置先となる前記ベースバンド信号処理機能部に対しても並行して行う報告制御手段を備えたところにある。
【００１５】
前記再配置は、例えば、ＳＦＮに同期して行われ、この場合には、前記報告制御手段は、前記再配置が行われるＳＦＮタイミング以前に再配置先の前記ベースバンド信号処理機能部に対して送信出力レベル報告を開始する手段を備える。
【００１６】
さらに詳細には、前記報告制御手段は、例えば、送信出力レベル報告の通知先となる１または複数の前記ベースバンド信号処理機能部の識別情報が登録されるテーブルと、このテーブルに登録された前記識別情報に基づき送信出力レベル報告を１または複数の前記ベースバンド信号処理機能部に対して通知する手段と、前記再配置先事前通信手段により通知される再配置先の情報に基づき当該再配置先となる前記ベースバンド信号処理機能部の識別情報を前記テーブルに新規登録する手段とを備える。
【００１７】
この場合には、前記報告制御手段は、再配置の完了に伴い前記テーブルに登録されていた再配置元の前記ベースバンド信号処理機能部の識別情報を削除する手段を備える。
【００１８】
本発明の第二の観点は、本発明の無線基地局装置に適用される無線送受信機能部の再配置方法であって、本発明の特徴とするところは、前記呼処理監視制御機能部は、前記再配置に先立って、当該再配置の対象となる前記無線送受信機能部に対し、再配置先となる前記ベースバンド信号処理機能部の識別情報を通知し、前記無線送受信機能部は、この通知を受け取ると再配置元となる前記ベースバンド信号処理機能部に対して行っていた送信出力レベル報告を再配置先となる前記ベースバンド信号処理機能部に対しても並行して行うところにある。
【００１９】
前記再配置は、例えば、ＳＦＮに同期して行われ、この場合には、前記無線送受信機能部は、前記再配置が行われるＳＦＮタイミング以前に再配置先の前記ベースバンド信号処理機能部に対して送信出力レベル報告を開始する。
【００２０】
さらに詳細には、前記無線送受信機能部は、例えば、テーブルに予め登録されている送信出力レベル報告の通知先となる１または複数の前記ベースバンド信号処理機能部の識別情報に基づき送信出力レベル報告を１または複数の前記ベースバンド信号処理機能部に対して通知し、再配置先の前記ベースバンド信号処理機能部の識別情報が通知されたときには、この識別情報を前記テーブルに新規登録する。
【００２１】
この場合には、前記無線送受信機能部は、再配置の完了に伴い前記テーブルに登録されていた再配置元の前記ベースバンド信号処理機能部の識別情報を削除する。
【００２２】
本発明の第三の観点は、本発明の無線基地局装置に適用されるプログラムであって、本発明の特徴とするところは、情報処理装置にインストールすることにより、その情報処理装置に、前記呼処理監視制御機能部に相応する機能として、前記再配置に先立って、当該再配置の対象となる前記無線送受信機能部に対し、再配置先となる前記ベースバンド信号処理機能部の識別情報を通知する再配置先事前通知機能を実現させ、前記無線送受信機能部に相応する機能として、前記再配置先事前通知機能からの通知を受け取ると再配置元となる前記ベースバンド信号処理機能部に対して行っていた送信出力レベル報告を再配置先となる前記ベースバンド信号処理機能部に対しても並行して行う報告制御機能を実現させるところにある。
【００２３】
前記再配置は、例えば、ＳＦＮに同期して行われ、この場合には、前記報告制御機能として、前記再配置が行われるＳＦＮタイミング以前に再配置先の前記ベースバンド信号処理機能部に対して送信出力レベル報告を開始する機能を実現させる。
【００２４】
さらに詳細には、前記報告制御機能として、例えば、送信出力レベル報告の通知先となる１または複数の前記ベースバンド信号処理機能部の識別情報が登録されるテーブルに相応する機能と、このテーブルに登録された前記識別情報に基づき送信出力レベル報告を１または複数の前記ベースバンド信号処理機能部に対して通知する機能と、前記再配置先事前通信機能により通知される再配置先の情報に基づき当該再配置先となる前記ベースバンド信号処理機能部の識別情報を前記テーブルに新規登録する機能とを実現させる。
【００２５】
この場合には、前記報告制御機能として、再配置の完了に伴い前記テーブルに登録されていた再配置元の前記ベースバンド信号処理機能部の識別情報を削除する機能を実現させる。
【００２６】
これにより、汎用の情報処理装置を用いて本発明の無線基地局装置を実現させ、本発明の再配置方法を実行させることができる。
【発明の効果】
【００２７】
本発明の効果は、無線基地局装置において、予備のベースバンド信号処理機能部への再配置動作が発生した場合に、再配置タイミング前後において、通常運用時同様に電力制御の連続性、品質が失われないことである。
【００２８】
その理由は、再配置先のベースバンド信号処理機能部に対して無線送受信機能部が再配置タイミング以前より送信出力レベル報告を通知することにより、再配置先のベースバンド信号処理機能部で再配置タイミングを意識することなく電力計測が行われ、無線送受信機能部の送信電力制御が可能になるためである。
【発明を実施するための最良の形態】
【００２９】
本発明実施例の無線基地局装置の構成を図１ないし図５を参照して説明する。図１は本実施例の無線基地局装置のブロック構成図である。
【００３０】
本実施例は、図１に示すように、ベースバンド信号処理機能部２０１〜２０ｎと、このベースバンド信号処理機能部２０１〜２０ｎにより処理されたベースバンド信号に基づき無線信号の送受信を行う無線送受信機能部３０１〜３０ｎと、この無線送受信機能部３０１〜３０ｎおよびベースバンド信号処理機能部２０１〜２０ｎを介して行われる呼処理を制御すると共に、ベースバンド信号処理機能部２０１〜２０ｎの動作状態を監視してベースバンド信号処理機能部２０ｉ（ｉは１〜ｎのいずれか）の故障時には当該ベースバンド信号処理機能部２０ｉに対して配置されていた無線送受信機能部３０ｊ（ｊは１〜ｎのいずれか）を正常な他のベースバンド信号処理機能部２０ｋ（ｋは１〜ｎのいずれかでｉ≠ｋ）に再配置する呼処理監視制御機能部１００とを備えた無線基地局装置１０である。
【００３１】
ここで、本実施例の特徴とするところは、呼処理監視制御機能部１００は、前記再配置に先立って、当該再配置の対象となる無線送受信機能部３０ｊに対し、再配置先となるベースバンド信号処理機能部２０ｋの識別情報を通知する再配置先事前通知部１０１を備え、無線送受信機能部３０ｊは、再配置先事前通知部１０１からの通知を受け取ると再配置元となるベースバンド信号処理機能部２０ｉに対して行っていた送信出力レベル報告を再配置先となるベースバンド信号処理機能部２０ｋに対しても並行して行う報告制御部４００を備えたところにある。
【００３２】
前記再配置はＳＦＮに同期して行われ、報告制御部４００は、前記再配置が行われるＳＦＮタイミング以前に再配置先のベースバンド信号処理機能部２０ｋに対して送信出力レベル報告を開始する手段を備える。
【００３３】
また、図２、図３、図４は報告制御部のブロック構成図である。報告制御部４００は、図２に示すように、送信出力レベル報告の通知先となるベースバンド信号処理機能部２０ｉの識別情報が登録される送信出力レベル報告先テーブル４０１と、この送信出力レベル報告先テーブル４０１に登録された前記識別情報に基づき送信出力レベル報告をベースバンド信号処理機能部２０ｉに対して通知する送信出力レベル報告部４０２と、図３に示すように、再配置先事前通信部１０１により通知される再配置先の情報に基づき当該再配置先となるベースバンド信号処理機能部２０ｋの識別情報を送信出力レベル報告先テーブル４０１に新規登録する通知先登録部４０４とを備える。
【００３４】
また、通知先登録部４０４は、図４に示すように、再配置の完了に伴い送信出力レベル報告先テーブル４０１に登録されていた再配置元のベースバンド信号処理機能部２０ｉの識別情報を削除する手段を備える。
【００３５】
次に、本実施例の再配置方法を図５を参照して説明する。図５は本実施例の再配置方法を示すシーケンス図である。本実施例の再配置方法は、図５に示すように、呼処理監視制御機能部１００は、再配置に先立って、当該再配置の対象となる無線送受信機能部３０ｊに対し、再配置先となるベースバンド信号処理機能部２０ｋの識別情報を通知し、無線送受信機能部３０ｊは、この通知を受け取ると再配置元となるベースバンド信号処理機能部２０ｉに対して行っていた送信出力レベル報告を再配置先となるベースバンド信号処理機能部２０ｋに対しても並行して行うことを特徴とする。
【００３６】
前記再配置はＳＦＮに同期して行われ、無線送受信機能部３０ｊは、前記再配置が行われるＳＦＮタイミング以前に再配置先のベースバンド信号処理機能部２０ｋに対して送信出力レベル報告を開始する。
【００３７】
また、無線送受信機能部３０ｊは、送信出力レベル報告先テーブル４０１に予め登録されている送信出力レベル報告の通知先となるベースバンド信号処理機能部２０ｉの識別情報に基づき送信出力レベル報告をベースバンド信号処理機能部２０ｉに対して通知し、再配置先のベースバンド信号処理機能部２０ｋの識別情報が通知されたときには、この識別情報を送信出力レベル報告先テーブル４０１に新規登録する。
【００３８】
また、無線送受信機能部３０ｊは、再配置の完了に伴い送信出力レベル報告先テーブル４０１に登録されていた再配置元のベースバンド信号処理機能部２０ｉの識別情報を削除する。
【００３９】
すなわち、図５に示すように、平常時には、無線送受信機能部３０ｊは、ベースバンド信号処理機能部２０ｉに対して送信出力レベル報告を行っている（１）。このときの送信出力レベル報告先テーブル４０１の登録内容（２０ｉ）を併せて図示する。
【００４０】
ベースバンド信号処理機能部２０ｉに障害が発生すると（２）、呼処理監視制御機能部１００は、この障害発生を検知し、無線送受信機能部３０ｊのベースバンド信号処理機能部２０ｋへの再配置を図るために、無線送受信機能部３０ｊに対して再配置（ＳＦＮ）タイミング通知を行う（３）。このときに、本実施例では、無線送受信装置３０ｊに対して再配置先がベースバンド信号処理機能部２０ｋであることも併せて通知する（４）。
【００４１】
無線送受信機能部３０ｊは、再配置先がベースバンド信号処理部２０ｋである旨の通知を呼処理監視制御機能部１００から受け取ると、ベースバンド信号処理機能部２０ｉに対して行っていた送信出力レベル報告をベースバンド信号処理機能部２０ｋに対しても行う（５）。このときの送信出力レベル報告テーブル４０１の登録内容（２０ｉ）（２０ｋ）を併せて図示する。
【００４２】
やがて、再配置（ＳＦＮ）タイミングが到来すると（６）、無線送受信機能部３０ｊは、ベースバンド信号処理機能部２０ｉから２０ｋに再配置される。再配置が完了すると、ベースバンド信号処理機能部２０ｉに対して行われていた送信出力レベル報告は終了し、ベースバンド信号処理機能部２０ｋに対してのみ送信出力レベル報告が行われる（７）。このときの送信出力レベル報告テーブル４０１の登録内容（２０ｋ）を併せて図示する。
【００４３】
本実施例は、汎用の情報処理装置にインストールすることにより、その情報処理装置に本実施例の無線基地局装置に相応する機能を実現させるプログラムとして実現することができる。このプログラムは、記録媒体に記録されて情報処理装置にインストールされ、あるいは通信回線を介して情報処理装置にインストールされることにより当該情報処理装置に、呼処理監視制御機能部１００、ベースバンド信号処理機能部２０１〜２０ｎ、無線送受信機能部３０１〜３０ｎにそれぞれ相応する機能を実現させることができる。
【産業上の利用可能性】
【００４４】
本発明によれば、ベースバンド信号処理機能部におけるリソース再配置時に、無線基地局装置の通話品質を維持することができるため、ユーザに対するサービス品質を向上させることができる。
【図面の簡単な説明】
【００４５】
【図１】本実施例の無線基地局装置のブロック構成図。
【図２】本実施例の報告制御部のブロック構成図。
【図３】本実施例の報告制御部のブロック構成図。
【図４】本実施例の報告制御部のブロック構成図。
【図５】本実施例の再配置方法を示すシーケンス図。
【符号の説明】
【００４６】
１０  無線基地局装置
１００  呼処理監視制御機能部
１０１  再配置先事前通知部
２０１〜２０ｎ  ベースバンド信号処理機能部
３０１〜３０ｎ  無線送受信機能部
４００  報告制御部
４０１  送信出力レベル報告先テーブル
４０２  送信出力レベル報告部
４０３  送信出力レベル計測部
４０４  通知先登録部
【図１】
2006270384.tif 000003
【図２】
2006270384.tif 000004
【図３】
2006270384.tif 000005
【図４】
2006270384.tif 000006
【図５】
2006270384.tif 000007